(57)【要約】【課題】封入の手間を省くと共に受取人が封筒を破棄することもなく封筒を情報通信体と一体のものとして取り扱うことが出来る包装された情報通信体とその製造方法を提供する。【解決手段】複数の葉片で構成された情報通信体Ｊ１の表裏面に周囲からはみ出た状態でフィルムシートＦ１及びＦ２を被覆すると共に、前記周囲の少なくとも一辺のはみ出たフィルムシートＦ１及びＦ２に破断用のミシンＭが形成され、前記ミシンＭで破断することにより情報通信体１を取り出すことを可能とした包装された情報通信体により解決される。【選択図】図１
2017077718.tif 000002
【特許請求の範囲】
【請求項１】
複数の葉片で構成された情報通信体の表裏面に前記情報通信体の周囲からはみ出た状態で疑似接着フィルムシートが被覆され、前記疑似接着フィルムシートは表面の疑似接着層同士を対向させて加熱加圧処理を施すことにより剥離可能に接着するものであり、前記情報通信体の周囲からはみ出た疑似接着フィルムシートの対向する疑似接着層同士の接着により封緘されていることを特徴とした包装された情報通信体。
【請求項２】
複数の葉片で構成された情報通信体の表裏面に前記情報通信体の周囲からはみ出た状態で疑似接着フィルムシートが被覆され、前記疑似接着フィルムシートは表面の疑似接着層同士を対向させて加熱加圧処理を施すことにより剥離可能に接着するものであり、前記情報通信体の周囲からはみ出た疑似接着フィルムシートの対向する疑似接着層同士の接着により封緘されていることを特徴とした包装された情報通信体の製造方法であって、情報通信体を順次繰り出す繰り出し工程、繰り出された情報通信体の両面に表面の疑似接着層同士を対向させて加熱加圧処理を施すことにより剥離可能に接着する疑似接着フィルムシートを疑似接着層を対向させて連続的に被覆する被覆工程、疑似接着フィルムシートが連続的に被覆されると共に前後して間隔を開けて搬送される情報通信体を連接する疑似接着フィルムシートで断裁する断裁工程とからなる包装された情報通信体の製造方法。
【発明の詳細な説明】
【技術分野】
【０００１】  本発明は、複数の葉片を折り畳み或いは切重ねたダイレクトメールを初め、製本された冊子等を含む様々な形態の情報通信体の包装手段及びその包装手段により製造される包装された情報通信体に関する。
【背景技術】
【０００２】  ダイレクトメール等の情報を安価で効率的に顧客へ送付する身近な手段として郵送がある。そして受取人の開封率を高めるために例えば透明封筒が用いられており、その一例として特開２００４−１１４３００号公報の発明がある。このものは内容物の印刷面の一部を封筒表・裏部分に見立てることにより封筒印刷の必要を削除する。それにより作業効率を高め経費を削減しＰＲ効果を高めることができるとするものである。
【先行技術文献】
【０００３】
【特許文献】
【特許文献】  特開２００４−１１４３００号公報
【発明の概要】
【発明が解決しようとする課題】
【０００４】  前記引用文献の発明では、折り畳まれた内容物を封筒に封入する手間が掛かる。また受取人側で封筒を廃棄することになり無駄が生じる。
本発明は、前記問題に鑑み、封入物の情報通信体と封筒を一体のものと考え、封入の手間を省くと共に受取人が封筒を破棄することもなく封筒を情報通信体と一体のものとして取り扱うことが出来る包装された情報通信体とその製造方法を提供するものである。
【課題を解決するための手段】
【０００５】  上記目的を達成するために、本発明の包装された情報通信体は、複数の葉片で構成された情報通信体の表裏面に前記情報通信体の周囲からはみ出た状態で疑似接着フィルムシートが被覆され、前記疑似接着フィルムシートは表面の疑似接着層同士を対向させて加熱加圧処理を施すことにより剥離可能に接着するものであり、前記情報通信体の周囲からはみ出た疑似接着フィルムシートの対向する疑似接着層同士の接着により封緘されていることを特徴としている。【０００６】  また、上記目的を達成するために、本発明の包装された情報通信体の製造方法は、複数の葉片で構成された情報通信体の表裏面に前記情報通信体の周囲からはみ出た状態で疑似接着フィルムシートが被覆され、前記疑似接着フィルムシートは表面の疑似接着層同士を対向させて加熱加圧処理を施すことにより剥離可能に接着するものであり、前記情報通信体の周囲からはみ出た疑似接着フィルムシートの対向する疑似接着層同士の接着により封緘されていることを特徴とした包装された情報通信体の製造方法であって、情報通信体を順次繰り出す繰り出し工程、繰り出された情報通信体の両面に表面の疑似接着層同士を対向させて加熱加圧処理を施すことにより剥離可能に接着する疑似接着フィルムシートを疑似接着層を対向させて連続的に被覆する被覆工程、疑似接着フィルムシートが連続的に被覆されると共に前後して間隔を開けて搬送される情報通信体を連接する疑似接着フィルムシートで断裁する断裁工程とからなることを特徴としている。【０００７】  本発明に使用される包装された情報通信体の包装される情報通信体の素材は上質紙、マット紙、コート紙等の一般の用紙の他に合成紙、樹脂フィルムシート、不織布等を好適に使用することができる。なお情報通信体の形態は折り畳まれていても或いは切重ねられていても、さらには製本された状態でも構わない。【０００８】  そして情報通信体の表裏面に包装手段として被覆される疑似接着フィルムシートは、ドライラミネート等の通常のプリントラミに使用される疑似接着フィルムシートを好適に使用することができる。前記プリントラミ用の疑似接着フィルムシートとして、例えばケイディケイ株式会社製の「ハガキフィルムドライ」を好適に使用することができる。【０００９】  本発明に使用するフィルムシートは、例えば図７に示すようにポリエチレンテレフタレートや二軸延伸ポリプロピレン等からなる基材１１の一方の面に疑似接着層１２を形成したものを好適に使用することができる。このものは疑似接着層１２同士を対向させて加圧或いは加熱・加圧処理を施すと完全接着することなく剥離可能に接着する。【００１０】  本発明の包装された情報通信体は、情報通信体の周囲からはみ出した疑似接着フィルムシートと包装された内部の情報通信体の縁辺との境界近辺に、例えばミシン等の破断手段を形成しておいて、前記ミシンを破断しながらはみ出した一辺の疑似接着フィルムシートを引きちぎり、それにより解放された両疑似接着フィルムシートの端縁を摘まんで残りのはみ出した各辺を剥離して内部の情報通信体を取り出すことができる。【００１１】  また例えば周囲からはみ出た疑似接着フィルムシートの端部を、意図的にずらして被覆してお���て段差を形成することにより、前記段差を剥離の端緒として剥離可能に接着している疑似接着フィルムシート同士を開封することもできる。一旦開封が開始されれば、周囲の飛び出した疑似接着フィルムシート同士の疑似接着を連続的に引き剥がし最終的に全周囲を剥離して内部の情報通信体を取り出すことができる。【００１２】  また前記以外の開封手段として例えば、はみ出した疑似接着フィルムシートの開封端縁に沿ってシリコン等の離型性材質を塗布する等により非接着域を形成しておいても構わない。前記非接着域は対向し良好に疑似接着する両疑似接着フィルムの対向面間に形成されるもので、接着されていないため容易に指で摘み剥離の端緒とすることができる。
【発明の効果】
【００１３】  本発明の包装された情報通信体は、ダイレクトメール等の情報通信体を単純に外側から包み込みパックするだけで済むため封入封緘の手間が省ける。また周囲のはみ出した部分に段差或いは非接着域等を形成しておけば、前記段差や非接着域を剥離の端緒として残りの周囲のはみ出し部分を連続的に剥離して内部の情報通信体を容易に取り出すことができる。
【図面の簡単な説明】
【００１４】
【図１】（Ａ）は包装された情報通信体Ｊ１の平面図、（Ｂ）は（Ａ）におけるＩ−Ｉ線断面図、（Ｃ）は（Ａ）におけるＩＩ−ＩＩ線断面図である。
【図２】ミシンにより一辺が引きちぎられた様子を示す断面図である。
【図３】図２の状態の斜視図である。
【図４】（Ａ）は包装された情報通信体Ｊ２の平面図、（Ｂ）は（Ａ）におけるＩＩＩ−ＩＩＩ線断面図、（Ｃ）は（Ａ）におけるＩＶ−ＩＶ線断面図である。
【図５】段差から剥離が開始される様子を示す断面図である。
【図６】図４の状態の斜視図である。
【図７】疑似接着フィルムシートＦの部分拡大断面図である。
【発明を実施するための最良の形態】
【００１５】  以下、本発明を、図面に沿って分かりやすく説明する。
［実施例１：開封ミシンを形成した情報通信体Ｊ１］
まず基本的な破断手段を有する包装された情報通信体Ｊ１について説明する。
図１（Ａ）、（Ｂ）及び（Ｃ）は本実施例の包装された情報通信体Ｊ１の各種図面である。同図（Ａ）及び（Ｂ）に示すように、情報通信体１の両面にその周囲からはみ出した状態でフィルムシートＦ１及びＦ２が被覆されている。前記はみ出した部分のフィルムシートＦ１及びＦ２は疑似接着層１２が対向した状態で加熱・加圧処理が施され、手で容易に引き剥がすことが可能な状態である。そして図１（Ａ）に示すように四辺の内の一辺のはみ出したフィルムシートＦ１及びＦ２と内部に包み込まれた情報通信体１の境界近辺に、破断を可能にするミシンＭが設けられている。【００１６】  そしてこの包装を開封するには図２に示すように、まず前記ミシンＭから一辺を引きちぎり図３に示すように内部の情報通信体１の一辺を露出させる。なお情報通信体１の両面の疑似接着フィルムシートＦ１及びＦ２は極めて良好に前記情報通信体１の外周に密着しているため（接着してはいない）この状態からは容易に取り出すことはできない。そして次にミシンＭではみ出した部分が破断されている二辺の内の何れか一辺を、その近辺の露出している情報通信体１両面の疑似接着フィルムシートＦ１及びＦ２を指で摘み引き剥がす。この段階（四辺の内の二辺が解放されている）で情報通信体１は疑似接着フィルムシートＦ１及びＦ２の良好に密着していた被覆状態から解放されるが、必要とあれば残りの二辺も順次引き剥がしてより開放状態にすることで、包装されていた情報通信体１を容易に取り出すことができるのである。【００１７】［実施例２：開封段差を形成した情報通信体Ｊ２］
図４（Ａ）、（Ｂ）及び（Ｃ）は本実施例の包装された情報通信体Ｊ２の各種図面である。同図（Ａ）及び（Ｂ）に示すように、情報通信体２の両面にその周囲からはみ出すと共に２辺のはみ出し部分で段差を形成するようフィルムシートＦ１及びＦ２が被覆されている。前記はみ出した部分のフィルムシートＦ１及びＦ２は疑似接着層１２同士が対向した状態で加熱・加圧処理が施され、手で容易に引き剥がすことが可能な状態である。【００１８】  そしてこの包装を開封するには図５及び図６に示すように、一辺のはみ出し部分の段差に指を掛けて引き剥がすことで両疑似接着フィルムシートＦ３及びＦ４は容易に引き剥がすことができる。一旦引き剥がしが開始されると四辺は剥離可能な疑似接着のため剥離でき、内部の情報通信体２を容易に取り出すことができるのである。【００１９】  なお、本発明は、上記実施例に限られるものではない。
例えば、前記実施例２において形成される段差は、例えば、はみ出した四辺の何れかの隅で、対向する何れかの疑似接着フィルムシートＦの隅を切り欠いておいて、前記コーナーカット部分の段差を剥離の端緒とすることもできる。【００２０】  また段差が形成されず、端面が揃っていて剥離の端緒がなくても、例えばシリコン等により前記端面に沿って非接着域を形成しておくことにより、既述の手順に沿って容易に開封することが可能である。
【符号の説明】
【００２１】  Ｊ１、Ｊ２  包装された情報通信体
Ｆ、Ｆ１、Ｆ２、Ｆ３、Ｆ４  疑似接着フィルムシート
１、２  情報通信体
Ｍ  ミシン
１１  基材
１２  疑似接着層
【図１】
2017077718.tif 000003
【図２】
2017077718.tif 000004
【図３】
2017077718.tif 000005
【図４】
2017077718.tif 000006
【図５】
2017077718.tif 000007
【図６】
2017077718.tif 000008
【図７】
2017077718.tif 000009